(57)【特許請求の範囲】
【請求項１】
・指または手を係合させる箇所を有する本体
・その本体の下面の両側面はフレットをはさんでフレットボード上をスライドするようになっている
・前記本体の前記下面に対応するスライド面の中間には溝が形成されている
・この溝の少なくとも一側面は、ヤスリの機能を有した傾斜面となっている
・ヤスリ面を有する傾斜面を前記フレットの側面に押し付けたときに、前記溝のもう一方の側面は前記フレットの反対側の側面には触れていない
・前記溝の上部と前記フレットの頂部との間には隙間がある
以上の構成からなる形状を持つ、前記フレットを有する弦楽器の前記フレットボード上の前記フレットの角を取り丸に近づけるための器具。
【請求項２】
前記溝の両側面がヤスリ面を有して傾斜していて、一方のヤスリ面を前記フレットの一方の側面に押し付けたときに、前記フレットの他方の側面にもう一方のヤスリ面は触れていない、請求項１に記載の器具。
【請求項３】
前記溝の両側面がヤスリ面を有して傾斜していて、それぞれのヤスリ面は傾斜角度が同じである、請求項１又は２に記載の器具。
【請求項４】
前記溝の両側面がヤスリ面を有して傾斜していて、それぞれのヤスリ面は傾斜角度が異なっている、請求項１又は２に記載の器具。
【請求項５】
前記溝の両側面がヤスリ面を有して傾斜していて、それぞれのヤスリ面は粒度が同じである、請求項１から４のいずれかに記載の器具。
【請求項６】
前記溝の両側面がヤスリ面を有して傾斜していて、それぞれのヤスリ面は粒度が異なっている、請求項１から４のいずれかに記載の器具。
【請求項７】
前記溝の傾斜面が、傾斜面の長さ方向両側から長さ方向中間に向かって、幅方向外側に凸となるように湾曲するように形成されている、請求項１から６のいずれかに記載の器具。
【請求項８】
前記溝の両側面がヤスリ面を有して傾斜していて、一方のヤスリ面は平面、もう一方のヤスリ面は請求項７のように湾曲している、請求項７に記載の器具。
【請求項９】
前記フレットボードに接する面が、底面の長さ方向両側から長さ方向中間に向かって、上方向に凸となるように湾曲するように形成されている、請求項１から８のいずれかに記載の器具。
【請求項１０】
請求項１から９のいずれかに記載の器具を使用する方法であって、前記方法は、フレットの角取り仕上げの処理を行う際、以下のように使用する。
・弦を緩め、前記フレットボードから避けるように移動させる
・前記フレットボードのみを、紙テープやその他フィルム状の保護素材で覆う
・研磨面が仕上げを行う前記フレットの表面に触れるように、前記器具を前記フレットボード上に立てかける
・前記器具を前記フレットに沿って動かし、且つ、前記フレットの頂部を削らないように、それを前記フレットの両端のエッジに対して繰り返す
【発明の詳細な説明】
【技術分野】
【０００１】
本発明は、弦楽器のフレットボード上のフレットの角を取り、丸に近づけるための器具とその方法に関する。
【背景技術】
【０００２】
既存の方法、良く知られた道具、そして、よく使われている道具として以下のものを挙げることができる。【０００３】
１つは、凹型のくぼみを持ったやすりである。【０００４】
このやすりは、てっぺん部分まで削ってしまったり、無意識のうちにフレットの高さを変えてしまうことがあり、それによってすり合わせの結果を台無しにしてしまう。【０００５】
使用中のやすりの角度は、手での握り方に委ねられるため安定していない。研磨部分の入射面の角度が変わりやすく、結果として生じる最終的な形状は規則的なものではなくなる。【０００６】
すべての種類のフレットに適したサイズではないため、いくつもの大きさのヤスリをそろえる必要があり、また高価である。【０００７】
もう１つは、三角形のやすりである。【０００８】
フレットボードに傷をつけないように、通常の三角形のやすりの角を丸め改良したものもまた、傾斜や安定性に問題がある。なぜなら、フレットボード上のとある箇所にのせたとしても、道具は手持ちだからである。【０００９】
やすりは長さがあり、持ち手はフレットボードの外側にくるため、作業をするときにフレットに平行な位置で持ち続けるのは簡単ではない。通常、三角形のやすりは粗く大きいため、しっかりと削ってしまい、精密な作業には向いていない。
【発明の概要】
【発明が解決しようとする課題】
【００１０】
すり合わせは、楽器による演奏をより良いものにしたり、澄んだ音を出すために、フレットの高さを揃えるために行うものである。【００１１】
もし、フレットが正しい状態になっていないと、少なくとも、以下の２つの問題が生じる可能性がある。
１．フレットの表面の弦との接点が不安定で、適した形状ではないため、ひどい音が生じることがある
２．弦の接点が前後に変動（図３の３１のような）することで、周波数、振動数の変化も引き起こすため、音が外れることがある【００１２】
既存のやすりにおける問題点もさまざまである。
１．もっとも知られているやすりである、凹型のくぼみを持ったやすりは、フレットのてっぺんまで削ってしまい、すり合わせの効果を台無しにする危険、または、フレットの高さが変わることにより正常に機能しなくなる危険がある
２．この作業における道具の作る角度は、やすりを手で持って行うため、さまざまである
３．研磨面のサイズはすべての種類のフレットに対して完璧ではないため、その時々に必要かつ適したものを選んで使うために、さまざまな大きさのやすりのセットを高額で一式揃える必要がある
【課題を解決するための手段】
【００１３】
本発明は、どんな形状または高さのフレットでも同一の入射角度にて研磨することができ、研磨面とフレットとの位置が相対する形状と構成という要素から成る。【００１４】
この器具は、作業における最高の安定性と簡単さを提供する。
なぜなら、利用者のすべきことは、ただ、角取りをするフレット上で前後に動かすということだけで、それだけで作業は自動で行われるからである。【００１５】
器具は、フレットボードと角取りをするフレットの上の数地点に自動的にのるような形と構成になっているため、同一の作業の中心線となる位置および動きを規制する。【００１６】
プロのリペアマンから、個人まで、さまざまなレベルの使用者に適している。
【発明の効果】
【００１７】
本発明は、弦楽器のフレットボード上のフレットの角を取り丸に近づけるための器具に関するものである。【００１８】
より明確にいうと、すり減ったフレット、または、すりあわせ後にてっぺんが平らになったフレットの形状を手直ししたり、荒削りをして角を取り丸みをつけやすくしたりするために使うことができる。【００１９】
本発明は、上述したような課題を解決し、さらに、以下のようなメリットも提供するものである。
１．上部は削らない、つまり、すり合わせの結果を尊重し、保護する
２．フレットボード上に、２つの側面によって立てかけ、常に同じ角度を保つ（使用中は軸が回転しない、中心線がぶれない）
３．たった１つのモデルで、すべてのタイプのフレットについて解決することができる
４．研磨面においても、そのような常に同じ方法で作業をするため、すべてのフレットで、きれいな左右対称の同じ形を得ることになる
【図面の簡単な説明】
【００２０】
【図１】本発明について説明するため、必要な楽器の部位や状態を説明するための図
【図２】フレットボードの一部を拡大した側面図
【図３】演奏時の状態のフレットの断面とそこにのった弦の側面図
【図４】本発明品を手でつかみ、ヤスリ部分を見せている図
【図５】本発明品の使用場所および使用例を示した図
【図６】発明品における研磨面の異なるタイプの構成およびそれぞれがフレットに及ぼす効果を示した斜視図
【図７】器具をつかみ、フレットボード上にて作業中の状態を示す図
【図８】側面にある、器具を持ちやすくするための二つのくぼみの平面図
【図９】フレットボード上に置いた器具の断面の側面図
【図１０】器具の２つの構成例の下からの斜視図
【図１１】ヤスリ面が平面の場合の、ヤスリとフレットの接点を説明するための斜視図
【図１２】ヤスリ面が湾曲している場合の、ヤスリとフレットの接点を説明するための斜視図
【図１３】ヤスリ面が湾曲している場合と平面の場合の両方を有する構成例における斜視図および底面図
【図１４】ヤスリ面が湾曲している場合の構成例における斜視図および底面図
【図１５】フレットボードに接する面が湾曲している場合の構成例における上からの斜視図、下からの斜視図および底面図
【発明を実施するための形態】
【００２１】
以下、本発明の実施の形態の例を、図１〜図１５を使用しながら説明する。
【００２２】
本発明は、底面は平面（図９）もしくは湾曲（図１５）しており、細長い形である。（図６−６６）実施例の一つとして、もっとも汎用的な大きさを挙げるとすると、長さが１つのフレットの半分から１つのフレットの長さであり、幅は、１つのフレットの幅以上、３つのフレット間の距離以下である。
【００２３】
底面にはトンネルのような１つのくぼみ（図９−９３）がある。
【００２４】
くぼみの左右には壁があり、それらは平らである。
【００２５】
少なくとも１つの壁には、図６−６１のように中心に向かっての傾斜と研磨材が付いている。
【００２６】
２つの壁に研磨材がついている場合は、中心に向かっての壁の傾斜は同一（図６−６２、図６−６３）または異なる角度（図６−６４、図６−６５）となっており、研磨材の種類（粒度）は同一または違うものとなる。
【００２７】
研磨材は以下のものでありうる。
・粘着面を持つもの（たとえば、台となる素材や台紙の上に研磨材が付いている等）
・固定されている
・ハンダ付けされている
・ねじで固定されている
・化学作用で固定されている
・コーティングされている
【００２８】
研磨材の種類は以下のものでありうる。
・ダイヤモンドの粉
・やすり
・紙ヤスリやそれに似たもの
【００２９】
外側の側面には、指で簡単につかむことができるよう、図８−８１や図８−８２のようなへこみがある。このへこみは、本体に指または手を係合させるためのものであるが、へこみの代わりに取っ手の役割を果たすものを有することもある。
【００３０】
ヤスリ面を有する傾斜面（図９−９１）をフレットの側面に押し付けたときに、溝（図９−９３）の上部とフレットの頂点との間には、必ず隙間がある。
【００３１】
ヤスリ面を有する傾斜面をフレットの側面に押し付けたときに、溝のもう一方の側面はフレットの反対側の側面には触れていない。
【００３２】
図１０−ａと図１０−ｂは、器具の２つの構成例を下から見た斜視図である。
【００３３】
１つ目の特徴的な構成例として、図１０−ａとして、図１０−１０３のような台の付いた研磨材を、図１０−１０１の枠内に接着またははめ込んで、使用中に滑ったり、外れたり、外に飛び出したりしないように図１０−１０２の特定の場所に台の付いた研磨材を受け入れ、引きとどまらせる形のものを示す。
【００３４】
２つ目の構成例として、図１０−ｂとして、図１０−１０４のように１つの台となるものを折り曲げて２面になった研磨材を、トンネル内の２つの壁に作られた特定の場所に差し込むか、２つの台のついた研磨材を２つのそれぞれの場所に設置するものを示す。
【００３５】
上記２つの構成例は、道具を再利用するのに適した構成であり、研磨材が磨耗しきった時や異なる粒度の研磨材を使用したいときに、台のついた研磨材を交換するだけでよい。
【００３６】
突出部、段、もしくは枠は、台のついた研磨材を器具に固定するための１つの例であるが、接着したりハンダ付けしたり化学作用で固定したり、ねじを使って留めたり等、類似の方法で研磨材をくっつけた場合は、これらの方法は必須ではない。つまり、この方法を使わなくてもよい。
【００３７】
次に、ヤスリ面が平面ではなく湾曲している構成例について説明する。
【００３８】
前記の実施例では、ヤスリ面は平面であったが、弧を描くフレットボードを持つ楽器のフレットに対して、平面のヤスリ面が平行に接した場合、図１１のようにヤスリ面とフレットの接点は、少ない。これでも十分に機能するのだが、さらなる効率化をはかるためにヤスリ面を湾曲させることも可能である。
【００３９】
この場合、ヤスリ面はフレットの持つ弧の形状に沿うように、ヤスリ面の長さ方向両側から長さ方向中間に向かって、外側（フレットに接する面とは反対側）に凸となるように湾曲する。
【００４０】
湾曲させたヤスリ面を用いると、図１２のようにヤスリ面とフレットの接点が増え、作業効率があがる。
【００４１】
このように湾曲させたヤスリ面を一方に有し、もう一方のヤスリ面が平面を有する実施例が、図１３である。この実施例は、とても多才で、クラッシックギターのようにフレットボードが平面である楽器はもちろん、エレキギターのようなフレットボードが弧を描いている楽器においては更なる効果を発揮する。
【００４２】
図１２のように湾曲させたヤスリ面を有する実施例が図１４である。傾斜面の両方にヤスリを有する場合、傾斜角度は同一、または異なる角度となっており、研磨材の種類（粒度）は同一または違うものとなる。傾斜面の一方にのみヤスリを有する場合もある。
【００４３】
次に、フレットボードに接する面が平面ではなく湾曲している構成例について説明する。
【００４４】
フレットボードには、幅方向に平面のものと弧を描いているものがある。一般的には、エレキギターやエレキベースなどのフレットボードは幅方向に弧を描いている。そのようなフレットボード上で、器具をさらにスライドさせやすくするために、フレットボードに接する面を湾曲させることも可能である。
【００４５】
この場合、フレットボードに接する底面（図１５−１５１）はフレットボードの持つ弧の形状に沿うように、底面の長さ方向両側から長さ方向中間に向かって、上方向（器具使用時の状態で）に凸となるように湾曲する。
【００４６】
このように湾曲させた底面を有する実施例が、図１５である。
【００４７】
以下にて使い方の例を説明する。
【００４８】
フレットボードにおいて本発明品や他の道具で作業およびフレットの仕上げ作業ができるよう、楽器の弦を外すか、十分に緩めて端によせる。
【００４９】
フレットボードを、紙テープやそれに似たような保護用の素材で覆い（図７−７３）、フレットのみ剥き出しの状態にしておく。
【００５０】
器具を、研磨面（図７−７１）が研磨対象のフレットに平行方向に触れた状態になるようにフレットボードにのせる。
【００５１】
できれば２本の指を側面のへこみ（図８−８１と図８−８２）にのせてつかむ。
【００５２】
てっぺんが平らになったことで、端に生じた角を削るよう、フレットの側面に沿って滑らせる。
【００５３】
研磨によって生成される削りかすは、多すぎたり、作業の邪魔になったりする前に取り除く。
【００５４】
選択したヤスリ面（図７−７１）がフレットに触れるように押さえながら、図７に記した矢印の方向に、ＡとＢの間を行き来するように、フレットの縦の長さに向かって平行に移動するように、角（エッジ）が取れるように研磨する。
【００５５】
フレットの反対側の側面の角（エッジ）に対しても同じ作業を行うことで、フレットの断面が対称的で膨らみをおびた形状になり、フレットの縦方向において、図３−３２の様に、フレットのてっぺんの中心点にのみ、弦との接点が提供される。
【００５６】
フレットボードの面と平行のフレットのてっぺんの真ん中部分に沿った、幅１ミリ程度の平な面はそのままにしておく。
【００５７】
図６に、器具によるフレットの研磨（加工）例を示したので、注目してほしい。
【００５８】
異なる傾斜を持つ研磨面を持った器具をつかって研磨を続けることで、より丸みを帯びた角取りができる。
【００５９】
フレットのてっぺんの高さをそのまま保つように注意を払いながら、紙ヤスリを指に貼り、または密着させ、さらには金属用の磨きファイバーを用いて磨きすぎないように注意しながら、残った小さなエッジを滑らかに仕上げる。フレットは、図３−３３のようになっているはずである。
【００６０】
必要であれば、フレットに光沢が出るように磨く。
【００６１】
フレットボード上の、紙テープ等の保護素材を取り除く。
【００６２】
フレットボードをきれいにする。
【００６３】
新しい状態のフレットボードに適した調弦および楽器の調整をする。
【符号の説明】
【００６４】
図１−１１  フレットが配置されたフレットボード
図１−１２  ギター
図２−２１  フレット
図２−２２  フレットボード
図２−２３  フレットに触れることで音を出す、弦
図３−３１  フレットの形状が正しくない場合に生じる、フレットと弦の間違った接点の例
図３−３２  この発明品を用いて作業を行った後に得られる、正しい接点
図３−３３  フレットが正しい振る舞いをするために必要な形状
図６−６１  フレットボードの面に対して器具を180度回転させることで、１つの研磨面で対称的な効果をもたらすことができることを示した図
図６−６２、図６−６３  ２つの対称的な研磨面が、フレットに対して同じ結果をもたらすことを示した図
図６−６４、図６−６５  組み合わせて用いることで、フレットの角取りの第一段階を行えるよう、１つの器具の２つの傾斜角度の異なる（または、非対称の）研磨面を示した図
図６−ｃ、図６−ｄ  図６−６４と図６−６５を組み合わせて使った結果、角取り処理を良質かつ素早く行えることを示した図
図６−６６  器具の側面の一例を示した図
図７−７１  器具の研磨面のひとつがフレットに触れている状態
図７−７２  本発明品により削られているフレット
図７−７３  器具、研磨部分、削ったあとの削りかす、または他に傷を付ける可能性のあるものからフレットボードを保護するために、フレットボードにセットした保護素材（紙テープやその他の材質のもの）
図８−８１、図８−８２  側面にある、器具を持ちやすくするための二つのくぼみ
図９−９１  研磨面
図９−９２  フレットボード
図９−９３  フレットを迎え入れるためのトンネル状の溝
図９−９４  フレットボードのどんな場所に器具をおいた場合でも、フレットボードと研磨面が作る傾斜角度は器具の構造のおかげで不変であるという一例を示す図
図１０−１０１、図１０−１０２  交換可能な研磨材を接着またははめ込むための枠
図１０−１０３  交換可能な研磨材を有する台
図１０−１０４  交換可能な研磨材を有する台
図１０−１０５  交換可能な研磨材を接着またははめ込むための枠
図１０−１０６  フレットボードと接する面である器具の底面
図１５−１５１  フレットボードと接する面である器具の底面
【図１】
0005841597.tif 000002
【図２】
0005841597.tif 000003
【図３】
0005841597.tif 000004
【図４】
0005841597.tif 000005
【図５】
0005841597.tif 000006
【図６】
0005841597.tif 000007
【図７】
0005841597.tif 000008
【図８】
0005841597.tif 000009
【図９】
0005841597.tif 000010
【図１０】
0005841597.tif 000011
【図１１】
0005841597.tif 000012
【図１２】
0005841597.tif 000013
【図１３】
0005841597.tif 000014
【図１４】
0005841597.tif 000015
【図１５】
0005841597.tif 000016